(57)【要約】【課題】解析装置における回路の出力波形の解析処理に要する時間を削減すること。【解決手段】回路の波形解析を行うことによって出力値を蓄積する波形解析装置が、入力波形の各時点における入力値と回路情報とを含む解析条件を入力し、解析条件に基づいて波形解析を行うことによって、入力波形の各時点における入力値に対する出力値を算出し、波形解析装置が、入力波形における入力値が変化した時点から、解析部によって算出された出力値の変化が収束した時点までの入力値について解析部に波形解析を実行させ、出力値の変化が収束した時点から入力波形における入力値が変化する時点までの入力値については解析部に波形解析を実行させず、収束した出力値の変化に基づいて、出力値の変化が収束した時点から入力波形における入力値が変化する時点までの入力値について出力値を予測し解析予測結果を算出する。【選択図】図１
2010039859.tif 000002
【特許請求の範囲】
【請求項１】
回路の波形解析を行うことによって出力値を蓄積する波形解析装置であって、
入力波形の各時点における入力値と回路情報とを含む解析条件を入力する解析条件入力部と、
前記解析条件に基づいて波形解析を行うことによって、入力波形の各時点における入力値に対する出力値を算出する解析部と、
前記入力波形における入力値が変化した時点から、前記解析部によって算出された前記出力値の変化が収束した時点までの入力値について前記解析部に前記波形解析を実行させ、前記出力値の変化が収束した時点から前記入力波形における入力値が変化する時点までの入力値については前記解析部に前記波形解析を実行させない解析実行判定部と、
収束した前記出力値の変化に基づいて、前記出力値の変化が収束した時点から前記入力波形における入力値が変化する時点までの入力値について出力値を予測し解析予測結果を算出する解析予測結果算出部と、
を備える波形解析装置。
【請求項２】
前記解析実行判定部は、前記解析部によって直前に算出された出力値に対応する時刻を起点とした判定範囲内に含まれる複数の出力値によって形成される出力波形の包絡線の傾きに関する係数を算出し、この係数によって表される前記傾きが閾値によって表される傾きよりも小さい場合に、前記出力値の変化が収束したと判断する、請求項１に記載の波形解析装置。
【請求項３】
前記解析実行判定部は、前記解析部によって直前に算出された出力値に対応する時刻を起点とした判定範囲内に含まれる複数の各出力値とその隣接値との差が閾値よりも小さい場合に、前記出力値の変化が収束したと判断する、請求項１に記載の波形解析装置。
【請求項４】
回路の波形解析を行うことによって出力値を蓄積する波形解析装置が行う波形解析方法であって、
前記波形解析装置が、入力波形の各時点における入力値と回路情報とを含む解析条件を入力するステップと、
前記波形解析装置が、前記解析条件に基づいて波形解析を行うことによって、入力波形の各時点における入力値に対する出力値を算出するステップと、
前記波形解析装置が、前記入力波形における入力値が変化した時点から、前記解析部によって算出された前記出力値の変化が収束した時点までの入力値について前記解析部に前記波形解析を実行させ、前記出力値の変化が収束した時点から前記入力波形における入力値が変化する時点までの入力値については前記解析部に前記波形解析を実行させないステップと、
前記波形解析装置が、収束した前記出力値の変化に基づいて、前記出力値の変化が収束した時点から前記入力波形における入力値が変化する時点までの入力値について出力値を予測し解析予測結果を算出するステップと、
を含む波形解析方法。
【発明の詳細な説明】
【技術分野】
【０００１】
本発明は、回路の波形解析装置および波形解析方法に関する。
【背景技術】
【０００２】
従来から回路の出力波形を解析する波形解析装置がある。従来の波形解析装置では、波形解析装置における解析処理に多くの時間（例えば１日〜数日程度の時間）を要し、さらにその後の人的作業にも多くの時間を要していたため、これらの処理の高速化が切望されていた。
【０００３】
回路の出力波形の解析に要する時間を削減するための技術の例として、例えば特許文献１に開示された技術がある。この技術では、波形解析装置が解析処理を行う際に、発生した各遅延時間を遅延原因別格納部に格納し、論理波形をオペレータに対して表示する際に、遅延原因別格納部に格納された情報に基づいて各遅延時間発生原因をオペレ−タが視覚的に判断できるような論理波形を表示する。
【特許文献１】特開平５−３４１００４号公報
【発明の開示】
【発明が解決しようとする課題】
【０００４】
しかしながら、特許文献１に開示されているような従来の技術では、波形解析装置における解析処理の後に行われる人的作業の高速化は実現できたものの、解析装置における解析処理そのものの高速化は実現できていなかった。そのため、回路の出力波形の解析を行うための一連の処理において、解析装置における解析処理がボトルネックとなってしまうという問題があった。
【０００５】
上記事情に鑑み、本発明は、解析装置における回路の出力波形の解析処理に要する時間を削減することを可能とする波形解析装置および波形解析方法を提供することを目的としている。
【課題を解決するための手段】
【０００６】
［１］上記の課題を解決するため、本発明の一態様による波形解析装置は、回路の波形解析を行うことによって出力値を蓄積する波形解析装置であって、入力波形の各時点における入力値と回路情報とを含む解析条件を入力する解析条件入力部と、前記解析条件に基づいて波形解析を行うことによって、入力波形の各時点における入力値に対する出力値を算出する解析部と、前記入力波形における入力値が変化した時点から、前記解析部によって算出された前記出力値の変化が収束した時点までの入力値について前記解析部に前記波形解析を実行させ、前記出力値の変化が収束した時点から前記入力波形における入力値が変化する時点までの入力値については前記解析部に前記波形解析を実行させない解析実行判定部と、収束した前記出力値の変化に基づいて、前記出力値の変化が収束した時点から前記入力波形における入力値が変化する時点までの入力値について出力値を予測し解析予測結果を算出する解析予測結果算出部と、を備える。
【０００７】
［２］また、本発明の一態様による波形解析装置は、上述した波形解析装置であって、さらに、前記解析実行判定部は、前記解析部によって直前に算出された出力値に対応する時刻を起点とした判定範囲内に含まれる複数の出力値によって形成される出力波形の包絡線の傾きに関する係数を算出し、この係数によって表される前記傾きが閾値によって表される傾きよりも小さい場合に、前記出力値の変化が収束したと判断する。
【０００８】
［３］また、本発明の一態様による波形解析装置は、上述した波形解析装置であって、さらに、前記解析実行判定部は、前記解析部によって直前に算出された出力値に対応する時刻を起点とした判定範囲内に含まれる複数の各出力値とその隣接値との差が閾値よりも小さい場合に、前記出力値の変化が収束したと判断する。
【０００９】
また、本発明の一態様は、上述した波形解析装置が行う波形解析方法として特定されても良い。
【発明の効果】
【００１０】
本発明により、解析装置における回路の出力波形の解析処理に要する時間を削減することが可能となる。
【発明を実施するための最良の形態】
【００１１】
図１は、波形解析装置１の機能構成を表す機能ブロック図である。図示するように、波形解析装置１は、解析条件入力部１０１、解析条件記憶部１０２、解析部１０３、解析実行判定部１０４、解析予測結果算出部１０５、解析結果記憶部１０６、命令入力部１０７を備える。
【００１２】
解析条件入力部１０１は、入力波形の各時点における入力値と回路情報とを含む解析条件を入力する。回路情報は、波形解析装置１が解析処理の対象とする回路の素子の配置や配線などの情報を表す。入力波形は、回路情報によって特定される回路に対して入力される波形であり、入力波形情報によって表される。具体的には、入力波形情報は、入力開始時点を基準とした各時点における振幅の値（入力値）を表す情報であっても良いし、入力波形の周波数や周期と振幅と入力波形が回路に入力されている時間などを表す情報であっても良い。解析条件入力部１０１が入力する解析条件は、ユーザがキーボードやポインティングデバイス等の入力装置を操作することによって特定されても良いし、ネットワークやケーブルを介して波形解析装置１に接続された外部装置によって特定されても良い。
【００１３】
解析条件記憶部１０２は、解析条件入力部１０１によって入力された解析条件を記憶する。
解析部１０３は、解析条件記憶部１０２に記憶される解析条件に基づき波形解析処理を行うことによって、回路情報によって特定される回路に入力波形の各時点における入力値が入力された場合にこの回路から出力される出力値を算出する。波形解析の処理は、既存のＳＰＩＣＥモデルやＩＢＩＳモデル等を用いた伝送線路シミュレータ（回路シミュレータ）の技術により可能である。波形解析装置１に入力される入力波形の具体例としては、正弦波、矩形波、三角波、鋸歯状派などがある。以下の説明においては、入力波形として矩形波が用いられた場合の例について説明する。
【００１４】
解析実行判定部１０４は、解析部１０３によって算出された出力値および解析条件に基づき解析継続判定処理を実行することによって、解析部１０３によって実行されている波形解析処理を継続させるか中断させるかについて判定する。中断させると判定した場合には、解析実行判定部１０４は解析部１０３へその旨の指示を行う。一方、継続させると判断した場合には、解析実行判定部１０４は解析部１０３への指示は行わない。さらに、解決実行判定部１０４は、解析部１０３へ波形解析処理の中断を指示した場合には、波形解析処理を中断させてから波形解析処理を再開させるまでの間の入力値について、出力値を予測することを解析予測結果算出部１０５に指示する。
【００１５】
解析予測結果算出部１０５は、解析部１０３が波形解析処理を行わない入力値について、出力値を予測することによって解析予測結果を算出する。
解析結果記憶部１０６は、解析部１０３によって算出された解析結果および解析予測結果算出部１０５によって算出された解析予測結果を記憶する。
【００１６】
命令入力部１０７は、解析部１０３に対し解析処理を開始することを指示する命令（解析実行命令）を入力する。命令入力部１０７が入力する解析実行命令は、ユーザがキーボードやポインティングデバイス等の入力装置を操作することによって指示されても良いし、ネットワークやケーブルを介して波形解析装置１に接続された外部装置によって指示されても良い。
【００１７】
図２は、解析部１０３によって算出される出力値の概念を表す概念図である。図２において、縦軸は出力値を示し、横軸は時間を示し、曲線が出力波形を示し、曲線状に配置された一つ一つの白抜き円が一つ一つの出力値を示す。出力値は、各時点における波形解析処理の結果であり、図示されるように離散的な値である。出力波形は、波形解析装置１による波形解析処理の最中またはその後に、波形解析処理によって得られた各出力値を近似することによって算出される。または各出力値を直線で結ぶことによって算出される。
【００１８】
図３は、波形解析装置１の動作処理を表すフローチャートである。まず、解析条件入力部１０１が解析条件を入力し（ステップＳ１０１）、入力された解析条件を解析条件記憶部１０２が記憶する（ステップＳ１０２）。次に、命令入力部１０７から解析実行命令が入力されると（ステップＳ１０３）、解析部１０３は解析条件記憶部１０２から解析条件を読み出し、読み出された解析条件に基づいて波形解析を開始する。
【００１９】
波形解析を開始すると、解析部１０３は最初の入力値に対する解析処理を行うことによって出力値を算出し（ステップＳ１０４）、この出力値を解析結果記憶部１０６に書き込む（ステップＳ１０５）。次に、解析実行判定部１０４が解析継続判定処理を実行する（ステップＳ１０６）。解析実行判定部１０４は、解析継続判定処理を実行することによって、出力値の変化が収束したか否か判断し、収束したと判断した場合には解析処理を継続しないと判定する。一方、出力値の変化が収束していないと判断した場合には解析処理を継続すると判定する。具体的には、解析実行判定部１０４は、各出力値（ｙ）を、それぞれが算出された時刻（ｔ）に沿って連続的に並べることにより形成される出力波形の複数の極大値（ｙ＿ｍａｘ）に接する包絡線がｙ＿ｍａｘ＝ｅｘｐ（−ａｔ）に近似されると仮定し、各極大値の自然対数ｌｎ（ｙ＿ｍａｘ）の値を算出し、最小二乗法によってｌｎ（ｙ＿ｍａｘ）の値を直線に近似することによってその直線の傾き（「包絡線の傾きに関する係数」に相当）を算出し、予め設定されている閾値よりもこの傾きの方が小さい場合には出力値の変化が収束したと判断する。
【００２０】
以下、解析継続判定処理の詳細について説明する。図４は、解析継続判定処理を実行する際の解析実行判定部１０４の動作処理を表すフローチャートである。図５は、解析結果の概念を表す概念図である。解析実行判定部１０４は、解析継続判定処理を開始すると、まず、予め定められた判定範囲内の解析結果を、解析結果記憶部１０６から読み出す（ステップＳ２０１）。判定範囲とは、解析処理の継続の要否を判定するに当たって解析実行判定部１０４が参照する出力値を表す。図５におけるΔ１が判定範囲の幅を示す。即ち、直前の処理において解析部１０３の解析処理によって得られた出力値の時刻がｔ２である場合、ｔ２と、ｔ２からΔ１を減算して得られるｔ１との間が判定範囲である。解析実行判定部１０４は、予めΔ１の値を記憶しており、Δ１を用いて判定範囲を算出した上で、この判定範囲に含まれる複数の出力値を参照して解析継続判定処理を実行する。なお、Δ１の値は、予め設計者や使用者によって予め設定される。
【００２１】
次に、解析実行判定部１０４は、判定範囲内に存在する極値を検出する（ステップＳ２０２）。極値とは、所定の範囲（以下「極値検出範囲」という）内における最大値または最小値を表す。図５において、ｐ１〜ｐ１４は極値を示し、ｔ３からｔ４は極小値ｐ１２及び極大値ｐ１３が検出される場合の極値検出範囲を示し、Δ２は極値検出範囲の幅を示す。解析実行判定部１０４は、予めΔ２の値を記憶しており、Δ２を用いて極値検出範囲を算出した上で、この極値検出範囲における極小値（ｙ＿ｍｉｎ）及び極大値（ｙ＿ｍａｘ）を検出する。なお、Δ２の値は、設計者や使用者によって予め設定される。
【００２２】
次に、解析実行判定部１０４は、各極大値の自然対数ｌｎ（ｙ＿ｍａｘ）と各極小値の自然対数ｌｎ（ｙ＿ｍｉｎ）を算出し、最小二乗法によって各自然対数ｌｎ（ｙ＿ｍａｘ）の近似直線の傾きと、各自然対数ｌｎ（ｙ＿ｍｉｎ）の近似直線の傾きとを算出する（ステップＳ２０３）。この二つの傾きがいずれも閾値未満である場合（ステップＳ２０４−ＹＥＳ）、解析実行判定部１０４は、解析処理を継続しないと判定する（ステップＳ２０５）。一方、この二つの傾きのいずれか一方又は双方が閾値以上である場合（ステップＳ２０４−ＮＯ）、解析実行判定部１０４は、解析処理を継続すると判定する（ステップＳ２０６）。
【００２３】
図３に戻って説明を続ける。解析実行判定部１０４が解析継続判定処理において解析処理を継続すると判定した場合（ステップＳ１０７−ＹＥＳ）、解析部１０３は、次の入力値に対する解析処理を行うことによって出力値を算出し（ステップＳ１０４）、この出力値を解析結果記憶部１０６に書き込む（ステップＳ１０５）。このように、解析継続判定処理において解析処理を継続すると判断されている間は、解析部１０３及び解析実行判定部１０４が、ステップＳ１０４〜ステップＳ１０６の処理を繰り返し実行する。解析部１０３がステップＳ１０４〜ステップＳ１０６の処理を繰り返し実行することによって、複数の出力値が解析結果記憶部１０６に蓄積される。そして、蓄積された複数の出力値を用いて、解析実行判定部１０４が解析継続判定処理（ステップＳ１０６の処理）を繰り返し実行する。
【００２４】
解析実行判定部１０４は、解析継続判定処理において解析処理を継続しないと判定すると（ステップＳ１０７−ＮＯ）、解析部１０３に対し解析処理中断命令を発行することによって、解析処理を中断することを指示する（ステップＳ１０８）。次に、解析実行判定部１０４は、解析予測結果算出部１０５に対し、解析予測結果を解析結果記憶部１０６に書き込むことを指示する。解析予測結果算出部１０５は、この指示を受けると、出力値の変化の収束状況に基づいて、解析部１０３による解析処理が中断された時点から入力値が変化する時点までの間の解析予測結果を算出する（ステップステップＳ１０９）。
【００２５】
図６は、解析予測結果の概念を表す概念図である。解析予測結果算出部１０５は、解析継続判定処理において出力値の変化が収束したと判断された際の判定範囲内の解析結果を、その後の解析予測結果として繰り返し用いる。例えば、図５及び図６に示されるようにｔ１〜ｔ２が判定範囲である際に出力値の変化が収束したと判断された場合、解析予測結果算出部１０５は、ｔ１〜ｔ２の範囲内の各時刻における出力値を解析結果記憶部１０６から読み出し、これらの値をｔ２以降にも繰り返すことによって解析予測結果を算出し、算出された解析予測結果を解析結果記憶部１０６に書き込む。
【００２６】
具体的には以下のように処理が進められる。解析実行判定部１０４は、ステップＳ１０７において解析処理を継続しないと判定した際に、この判定の際の判定範囲を表す情報（例えば、判定範囲の起点の時刻と終点の時刻）を解析予測結果算出部１０５に送信する。また、解析実行判定部１０４は、解析条件記憶部１０２に記憶される入力波形情報に基づいて、入力値が変化する時刻を取得する。この取得処理は、入力波形情報が各時刻における入力値を表す情報である場合には、入力値が次に変化する時点の時刻を読み出すことによって実現できる。また、この取得処理は、入力波形情報が入力波形の周波数や周期などを表す情報である場合には、入力値が変化する時刻を周波数や周期に基づいて算出することによって実現できる。そして、解析実行判定部１０４は、解析処理が中断された時刻と入力値が変化する時刻とを解析予測結果算出部１０５に送信する。
【００２７】
次に、解析予測結果算出部１０５は、判定範囲を表す情報に従って、判定範囲内の出力値を解析結果記憶部１０６から読み出す。そして、解析処理が中断された時刻から、入力値が変化する時刻までの間の出力値の予測値、即ち解析予測結果を、判定範囲内の出力値を繰り返すことによって算出し、解析結果記憶部１０６に書き込む。
【００２８】
図６の場合、ｔ１〜ｔ２の間の出力値は解析部１０３による解析結果であり、ｔ２〜ｔ３の間の出力値は解析予測結果算出部１０５による解析予測結果であり、ｔ２〜ｔ３の間の波形とｔ１〜ｔ２の間の波形とは同じである。そして、ｔ３以降にも同様に、解析予測結果算出部１０５は、解析処理が中断された時点から入力値が変化する時点までの間の解析予測結果として、ｔ１〜ｔ２の間の波形を繰り返し適用する。
【００２９】
図３に戻って説明を続ける。ステップＳ１０９の処理の次に、解析実行判定部１０４は、入力値が変化する時刻における新たな入力値を解析条件記憶部１０２から読み出す（ステップＳ１１０）。新たな入力値がある場合には（ステップＳ１１１−ＹＥＳ）、解析実行判定部１０４は、解析処理開始命令を発行することによって、解析部１０３に対し解析処理を再開することを指示する（ステップＳ１１２）。一方、新たな入力値がない場合には（ステップＳ１１１−ＮＯ）、波形解析装置１は波形解析の処理を終了し、このフローチャート全体の処理を終える。
【００３０】
図７は、従来の波形解析装置によって出力される出力波形の概略を表す概略図である。以下、図７を用いて、波形解析装置１の効果について説明する。波形解析装置によって出力される出力波形は、立ち上がり／立ち下がりの区間とその直後（符号“Ｘ１”の区間）においては一定の振幅や波形に収束しない、即ち出力値の変化が収束しないことが多い。具体的には、立ち上がり／立ち下がりの区間とその直後において、ノンモノトニック等の非単調増加、オーバーシュートやアンダーシュート等の現象が発生してしまうことが多い。一方、ある程度の時間が経過すると、再び立ち上がりや立ち下がりが生じるまでの間（符号“Ｘ２”の区間）は出力値の変化は収束していることが多い。
【００３１】
そこで、波形解析装置１は、出力値の変化が収束しない区間（区間Ｘ１）については、解析部１０３が実際の波形解析を行うことによって解析結果を算出する。一方、波形解析装置１は、出力値の変化が収束している区間（区間Ｘ２）については、解析部１０３が波形解析を行うことなく、収束した出力値に基づいて、波形解析よりも簡易な処理によって、解析予測結果算出部１０５が解析結果を予測する。出力値の変化が収束した後に入力値か変化するまでの間において出力値が新たな変化をすることは稀であるため、解析部１０３による波形解析の結果に基づいてこの区間Ｘ２の解析結果を精度良く予測することが可能となる。
【００３２】
従来の波形解析装置では、Ｘ１の区間及びＸ２の区間の全ての区間において波形解析を実行していたため、その処理に多くの時間を要していた。これに対し、波形解析装置１では、解析部１０３がＸ２の区間では波形解析を実行せずに、解析予測結果算出部１０５が波形解析の処理よりも簡易な予測処理によって解析予測結果を算出する。そのため、解析処理に要する時間を削減することが可能となる。
【００３３】
＜変形例＞
図８は、立ち上がり又は立ち下がりの近傍における出力波形の概要の具体例を表す概要図である。図８（Ａ）及び図８（Ｂ）は、オーバーシュート又はアンダーシュートが生じた場合の出力波形の具体例を表す。図８（Ａ）の場合は、オーバーシュート又はアンダーシュートが生じた後に、一定の振幅でリンギングが継続している。この場合、解析予測結果算出部１０５は、振幅が一定である区間において解析予測結果を算出する。図８（Ｂ）の場合は、オーバーシュート又はアンダーシュートが生じた後に、電圧値が一定値となっている。この場合、解析予測結果算出部１０５は、電圧値が一定である区間において解析予測結果を算出する。
【００３４】
図８（Ｃ）は、オーバーシュート及びアンダーシュートが生じることなく一定の振幅でリンギングが生じた場合の出力波形の具体例を表す。この場合、解析予測結果算出部１０５は、振幅が一定である区間において解析予測結果を算出する。図８（Ｄ）は、オーバーシュート又はアンダーシュートが単発で生じた後に、電圧値が一定値となった場合の出力波形の具体例を表す。この場合、解析予測結果算出部１０５は、電圧値が一定である区間において解析予測結果を算出する。図８（Ｅ）は、オーバーシュート又はアンダーシュートが生じた後に、一定の波形が継続している場合の出力波形の具体例を表す。この場合、解析予測結果算出部１０５は、波形が一定である区間において解析予測結果を算出する。
【００３５】
図８（Ｆ）は、例えば過負荷等の要因により、緩やかに立ち上がり／立ち下がり区間を経た後に、一定の波形が継続している場合の出力波形の具体例を表す。この場合、解析予測結果算出部１０５は、波形が一定である区間において解析予測結果を算出する。なお、過負荷の場合とは、例えば一つのドライバに対し多くのレシーバが接続されたような場合である。
【００３６】
図８（Ｇ）は、例えば抵抗器などを用いて出力電圧が外部から固定された場合における、立ち上がり／立ち下がり区間の途中で、一定の波形が継続している場合の出力波形の具体例を表す。図８（Ｇ）において、符号ｇ１が示す実線は、立ち上がり途中で固定した場合の波形であり、符号ｇ２が示す破線は、本来の立ち上がり電圧の波形である。図８（Ｇ）のｇ１の場合、解析予測結果算出部１０５は、波形が一定である区間において解析予測結果を算出する。
【００３７】
図９は、解析継続判定処理を実行する際の解析実行判定部１０４の動作処理の変形例を表すフローチャートである。解析実行判定部１０４は、図４に表されるフローチャートに代えて、図９に表されるフローチャートに従って動作し解析継続判定処理を実行しても良い。以下、図９に表されるフローチャートに従って動作する場合の解析実行判定部１０４の動作について説明する。
【００３８】
まず、解析実行判定部１０４は、判定範囲内の解析結果を読み出す（ステップＳ３０１）。次に、解析実行判定部１０４は、読み出された解析結果における各出力値と、各出力値に隣接する出力値（一つ前の時点における出力値）との差を算出する（ステップＳ３０２）。次に、解析実行判定部１０４は、算出された全ての差が、予め設定されている閾値未満であるか否か判断する（ステップＳ３０３）。全ての差が閾値未満である場合（ステップＳ３０３−ＹＥＳ）、解析実行判定部１０４は解析処理を継続しないと判定する（ステップＳ３０４）。一方、閾値以上である差が存在する場合（ステップＳ３０３）、解析実行判定部１０４は、解析処理を継続すると判定する（ステップＳ３０５）。
【００３９】
なお、ステップＳ３０２において、解析実行判定部１０４は、読み出された解析結果における各出力値と、各出力値に隣接する出力値として、出力値と一つ次の時点における出力値との差を算出しても良い。
【００４０】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００４１】
【図１】波形解析装置の機能構成を表す機能ブロック図である。
【図２】解析部によって算出される出力値の概念を表す概念図である。
【図３】波形解析装置の動作処理を表すフローチャートである。
【図４】解析継続判定処理を実行する際の解析実行判定部の動作処理を表すフローチャートである。
【図５】解析結果の概念を表す概念図である。
【図６】解析予測結果の概念を表す概念図である。
【図７】従来の波形解析装置によって出力される出力波形の概略を表す概略図である。
【図８】立ち上がり又は立ち下がりの近傍における出力波形の概要の具体例を表す概要図である。
【図９】解析継続判定処理を実行する際の解析実行判定部の動作処理の変形例を表すフローチャートである。
【符号の説明】
【００４２】
１…波形解析装置，  １０１…解析条件入力部，  １０２…解析条件記憶部，  １０３…解析部，  １０４…解析実行判定部，１０５…解析予測結果算出部，  １０６…解析結果記憶部，  １０７…命令入力部
【図１】
2010039859.tif 000003
【図２】
2010039859.tif 000004
【図３】
2010039859.tif 000005
【図４】
2010039859.tif 000006
【図５】
2010039859.tif 000007
【図６】
2010039859.tif 000008
【図７】
2010039859.tif 000009
【図８】
2010039859.tif 000010
【図９】
2010039859.tif 000011